(57)【要約】【課題】廃棄形態にする際に、廃棄用テープがよれることを防ぐことができ、廃棄用テープを所望の位置に張り付けやすい吸収性物品を提供すること。【解決手段】吸収体４０を有する吸収性本体４を備え、腹側部Ａ、背側部Ｂ、及び腹側部Ａと背側部Ｂとの間に位置する股下部Ｃを有する吸収性物品１であって、吸収体４０は、吸収性物品１の幅方向Ｙの中央部に位置する高坪量部４３と、該幅方向Ｙにおける高坪量部４３の両側に位置する側方低坪量部４４と、長手方向Ｘにおける高坪量部４３の背側部Ｂ側の端縁４３ｂより外方に位置する背側低坪量部４５とを有しており、吸収性物品１の非肌対向面に、廃棄用テープ１０が設けられており、三つ折り状態になっている廃棄用テープ１０は、背側部Ｂにおける高坪量部４３の幅内に吸収性物品１の長手方向Ｘに沿って配されており、且つ該廃棄用テープ１０の少なくとも一部が背側低坪量部４５に位置している。【選択図】図２
0003228125.tif 000002
【実用新案登録請求の範囲】
【請求項１】
液透過性の表面シート、防漏シート及び前記表面シートと前記防漏シートとの間に位置する吸収体を備え、着用者の前後方向に対応する長手方向と前記長手方向に直交する幅方向とを有し、着用時に着用者の腹側に配される腹側部、着用者の背側に配される背側部、及び腹側部と背側部との間に位置する股下部を有する吸収性物品であって、
前記吸収体は、前記幅方向の中央部に位置し前記長手方向に延在する高坪量部と、該幅方向における前記高坪量部の両側に位置し前記高坪量部よりも低坪量の側方低坪量部と、前記背側部における前記高坪量部の長手方向の端縁より外方に位置し前記高坪量部よりも低坪量の背側低坪量部とを有しており、
前記吸収性物品の非肌対向面に、廃棄用テープが設けられており、
前記廃棄用テープは、前記吸収性物品の非肌対向面に固定されている固定部と、伸長部と、止着部とが、この順に該廃棄用テープの長手方向に沿って配されているとともに、この順に積層された三つ折り状態になっており、
三つ折り状態になっている前記廃棄用テープは、前記止着部と前記伸長部との間が剥離可能に接合されているとともに、前記伸長部と前記固定部との間も剥離可能に接合されており、前記伸長部は、三つ折り状態を解除した展開状態において前記廃棄用テープの長手方向に伸長可能であり、
三つ折り状態になっている前記廃棄用テープは、前記背側部における前記高坪量部の幅内に前記吸収性物品の前記長手方向に沿って配されており、且つ該廃棄用テープの少なくとも一部が前記背側低坪量部に位置している、吸収性物品。
【請求項２】
前記吸収体は、吸水性ポリマー及び親水性繊維を含む吸収性コアと該吸収性コアを被覆するコアラップシートとを有しており、
前記高坪量部における前記吸収性コアの非肌対向面側は、前記高坪量部における前記吸収性コアの肌対向面側に比して、前記吸水性ポリマー及び前記親水性繊維の合計質量に対する前記親水性繊維の質量の割合が高い、請求項１に記載の吸収性物品。
【請求項３】
前記吸収体は、吸水性ポリマー及び親水性繊維を含む吸収性コアと該吸収性コアを被覆するコアラップシートとを有しており、
前記コアラップシートは、前記吸収性コアの非肌対向面側に該コアラップシートどうしが重なった重なり部を有しており、
前記吸収性物品の平面視において、前記重なり部の少なくとも一部は前記高坪量部と重なっている、請求項１又は２に記載の吸収性物品。
【請求項４】
前記廃棄用テープの一部は、前記吸収性物品の平面視において前記重なり部と重なっている、請求項３に記載の吸収性物品。
【請求項５】
前記廃棄用テープの前記幅方向の長さが、前記重なり部の前記幅方向の最大長さよりも短い、請求項３又は４に記載の吸収性物品。
【請求項６】
前記吸収性物品の平面視において該吸収体と重なる部分に前記長手方向に収縮する弾性部材が配されており、
前記弾性部材は、前記幅方向における前記高坪量部の両側縁よりも外方に位置している、請求項１〜５の何れか１項に記載の吸収性物品。
【請求項７】
前記吸収性物品の平面視において前記高坪量部と重なる位置に、外部から視認可能な絵柄を有する第１絵柄部を有し、前記側方低坪量部と重なる位置に、外部から視認可能な絵柄を有する第２絵柄部を有しており、
第１絵柄部と第２絵柄部とで、前記絵柄の色調が異なる、請求項１〜６の何れか１項に記載の吸収性物品。
【請求項８】
前記吸収性物品の平面視において前記高坪量部と重なる位置に、外部から視認可能な絵柄を有する第１絵柄部を有し、前記側方低坪量部と重なる位置に、外部から視認可能な絵柄を有する第２絵柄部を有しており、
第１絵柄部と第２絵柄部とで前記絵柄の面積占有率が異なる、請求項１〜７の何れか１項に記載の吸収性物品。
【請求項９】
前記吸収性物品の平面視において前記高坪量部と重なる位置に、外部から視認可能な絵柄を有しており、前記絵柄は、前記長手方向の長さが前記幅方向の長さよりも長い縦長の絵柄を含んでいるか、又は主要絵柄とその周囲に配された付随絵柄とからなる絵柄群であって、前記長手方向の長さが前記幅方向の長さよりも長い絵柄群を含んでいる、請求項１〜８の何れか１項に記載の吸収性物品。
【請求項１０】
前記吸収性物品の平面視において前記高坪量部と重なる位置に、外部から視認可能な絵柄を有しており、該絵柄は排泄物によって変色するインジケータとして機能する絵柄を含んでおり、インジケータとして機能する前記絵柄は、前記長手方向の長さが、三つ折り状態を解除した展開状態且つ非伸長状態における前記廃棄用テープの前記長手方向に沿う展開長さよりも長いとともに、三つ折り状態を解除した展開状態且つ伸長状態における該廃棄用テープの前記長手方向に沿う展開長さよりも短い、請求項１〜９の何れか１項に記載の吸収性物品。
【請求項１１】
前記インジケータとして機能する前記絵柄は、前記長手方向に沿って延びる一本又は複数本の略線状の線状部からなり、前記絵柄の前記幅方向の長さが、前記廃棄用テープの前記伸長部を前記長手方向に沿って１００％伸長させたときの幅よりも小さい、請求項１０に記載の吸収性物品。
【請求項１２】
前記吸収体の平面視において前記側方低坪量部と重なる位置に、前記幅方向に収縮する弾性部材が配されている、請求項１〜１１の何れか１項に記載の吸収性物品。
【請求項１３】
前記吸収性物品は、前記防漏シート及び前記吸収体を有する吸収性本体と、該吸収性本体の非肌対向面側に配された外装体とを備えており、
前記吸収性物品の平面視において前記側方低坪量部と重なる位置に、前記吸収性本体と前記外装体との間が接合されていない部分を有する、請求項１〜１２の何れか１項に記載の吸収性物品。
【請求項１４】
前記吸収体は、前記高坪量部の幅方向の側縁に対応する位置に、折れ曲がり誘導部が配されている、請求項１〜１３の何れか１項に記載の吸収性物品。
【請求項１５】
前記折れ曲がり誘導部は、前記長手方向の長さが、三つ折り状態を解除した展開状態且つ非伸長状態における前記廃棄用テープの前記長手方向に沿う展開長さよりも長いとともに、三つ折り状態を解除した展開状態且つ伸長状態における該廃棄用テープの長手方向の展開長さよりも短い、請求項１４に記載の吸収性物品。
【請求項１６】
前記吸収性物品は、前記表面シート、前記防漏シート及び前記吸収体を有する吸収性本体と、該吸収性本体の非肌対向面側に配された外装体とを備えており、
前記外装体は、外層シートと、該外層シートよりも肌対向面側に配された内層シートと、前記外層シートと前記内層シートとの間に配された複数本の弾性部材とを有しており、
前記吸収性本体よりも前記長手方向の外方に形成されたウエスト伸縮領域と、該ウエスト伸縮領域よりも前記股下部側の領域における、前記吸収性本体と前記長手方向に重なる領域に形成された下部伸縮領域とを有しており、
前記下部伸縮領域の伸縮応力は、前記ウエスト伸縮領域の伸縮応力よりも高い、請求項１〜１５の何れか１項に記載の吸収性物品。
【請求項１７】
前記下部伸縮領域の伸縮応力は、背側下部伸縮領域の方が腹側下部伸縮領域よりも低い、請求項１６に記載の吸収性物品。
【考案の詳細な説明】
【技術分野】
【０００１】
本考案は、廃棄用テープを備えた吸収性物品に関する。
【背景技術】
【０００２】
使用後の廃棄を容易に且つ衛生的に行えるようにする観点から、使い捨ておむつを丸めた状態に維持し得る廃棄用テープを備えたおむつが知られている。例えば、本出願人は、先に、廃棄用テープとして、基部に連設された伸長可能な伸長部を有する伸長テープを提案している（特許文献１）。また、本出願人は、腹側部又は背側部に時刻を表す表示部と、該表示部に重ねて固定可能な指示部材とを有し、装着時に該指示部材を該表示部に重ねることにより装着時刻を表示できるようになされている使い捨ておむつを提案しており、その指示部材として廃棄テープを用い得ることも提案している（特許文献２）。
【先行技術文献】
【特許文献】
【０００３】
【特許文献１】特開２０００−９３４６０号公報
【特許文献２】特表２０１２−１１５３５９号公報
【考案の概要】
【考案が解決しようとする課題】
【０００４】
特許文献１に記載された廃棄用テープは、伸長部の伸長に起因してその長さが増加するため、丸めたおむつの周囲に広く配することができ、そのおむつを丸めた状態に維持し易い。
しかしながら、伸長部を有する廃棄用テープは、丸めたおむつを一方の手に持った状態で、他方の手で、廃棄用テープを持ち、伸長部を引き延ばしながら、そのおむつに巻き付けることが一般的であり、丸めたおむつに巻き付ける際に、伸ばした廃棄用テープの位置が、おむつの幅方向の中央部から側方に向かってずれやすい。
特許文献２に記載された廃棄テープは、細帯状のテープをその長手方向に三つ折りに折り畳んだＺ型形態に形成されており、使用に際して引き出されるようになっているが、伸長可能な部分を有するものではない。
【０００５】
本考案の課題は、廃棄時の廃棄用テープの操作性を向上し得るパンツ型使い捨ておむつを提供することにある。
【課題を解決するための手段】
【０００６】
本考案は、液透過性の表面シート、防漏シート及び前記表面シートと前記防漏シートとの間に位置する吸収体を備え、着用者の前後方向に対応する長手方向と前記長手方向に直交する幅方向とを有し、着用時に着用者の腹側に配される腹側部、着用者の背側に配される背側部、及び腹側部と背側部との間に位置する股下部を有する吸収性物品であって、前記吸収体は、前記幅方向の中央部に位置し前記長手方向に延在する高坪量部と、該幅方向における前記高坪量部の両側に位置し前記高坪量部よりも低坪量の側方低坪量部と、前記背側部における前記高坪量部の長手方向の端縁より外方に位置し前記高坪量部よりも低坪量の背側低坪量部とを有しており、前記吸収性物品の非肌対向面に、廃棄用テープが設けられており、前記廃棄用テープは、前記吸収性物品の非肌対向面に固定されている固定部と、伸長部と、止着部とが、この順に該廃棄用テープの長手方向に沿って配されているとともに、この順に積層された三つ折り状態になっており、三つ折り状態になっている前記廃棄用テープは、前記止着部と前記伸長部との間が剥離可能に接合されているとともに、前記伸長部と前記固定部との間も剥離可能に接合されており、前記伸長部は、三つ折り状態を解除した展開状態において前記廃棄用テープの長手方向に伸長可能であり、三つ折り状態になっている前記廃棄用テープは、前記背側部における前記高坪量部の幅内に前記吸収性物品の前記長手方向に沿って配されており、且つ該廃棄用テープの少なくとも一部が前記背側低坪量部に位置している、吸収性物品を提供するものである。
【考案の効果】
【０００７】
本考案によれば、吸収性物品を廃棄形態にする際に、廃棄用テープを丸めた吸収性物品の適切な位置に止着させやすい。
【図面の簡単な説明】
【０００８】
【図１】図１は、本考案の吸収性物品の一実施形態を示す斜視図である。
【図２】図２は、図１に示す吸収性物品の、展開且つ伸長状態における肌対向面側を模式的に示す展開平面図である。
【図３】図３は、図１に示す吸収性物品の、展開且つ伸長状態における非肌対向面側を模式的に示す展開背面図である。
【図４】図４は、図３のＶ−Ｖ線模式断面図である。
【図５】図５は、図２のＶＩ−ＶＩ線模式断面図である。
【図６】図６（ａ）は、図１に示す吸収性物品の廃棄形態を示す斜視図であり、図６（ｂ）は、図１に示す吸収性物品の廃棄形態を形成する過程で、図１に示す吸収性物品の廃棄用テープを伸長させる様子を示す斜視図である。
【図７】図７は、本考案の吸収性物品の他の実施形態を示す断面図であり、図４相当図である。
【図８】図８は、本考案の廃棄用テープの変形例を示す断面図であり、図５相当図である。
【考案を実施するための形態】
【０００９】
以下本考案を、その好ましい実施形態に基づき図面を参照しながら説明する。図１には、本考案の吸収性物品の一実施形態である使い捨ておむつ１が示されている。同図に示す使い捨ておむつ１（以下、単に「おむつ１」とも言う。）は、図１に示すように、着用者の胴が通されるウエスト開口部１Ｗ、及び着用者の下肢が通される一対のレッグ開口部１Ｌ，１Ｌを有するパンツ型使い捨ておむつである。
【００１０】
おむつ１は、着用者の前後方向に対応する方向、すなわち腹側部Ａから股下部Ｃを介して背側部Ｂに延びる方向である長手方向Ｘと、おむつ１を図２に示すように平面状に広げた状態において、該長手方向Ｘと直交する幅方向Ｙとを有している。
おむつ１は、図２及び図６に示すように、液透過性の表面シート２、防漏シート３及び表面シート２と防漏シート３との間に位置する吸収体４０を備えている。より具体的には、表面シート２、防漏シート３、及び吸収体４０を有する吸収性本体４と、吸収性本体４の非肌対向面側に配された外装体５とを備えている。５は、おむつ１の非肌対向面、即ちおむつ１の外面を形成している。おむつ１の長手方向Ｘは、吸収性本体４の長手方向と一致している。おむつ１は、図２に示すように、長手方向Ｘに延びる、該おむつ１を幅方向Ｙに二等分する縦方向中心線ＣＬに対して左右対称に形成されている。
【００１１】
本明細書において、「肌対向面」は、おむつ１等の吸収性物品又はその構成部材（例えば表面シート２）における、着用時に着用者の肌側に向けられる面、即ち相対的に着用者の肌に近い側であり、「非肌対向面」は、おむつ１等の吸収性物品又はその構成部材における、着用時に肌側とは反対側（着衣側）に向けられる面、即ち相対的に着用者の肌から遠い側である。尚、ここでいう「着用時」は、通常の適正な着用位置、即ち当該おむつ１の正しい着用位置が維持された状態を意味する。
【００１２】
おむつ１は、着用状態において着用者の腹側に配される腹側部Ａ、股間部に配される股下部Ｃ、及び着用者の背側に配される背側部Ｂを備えている。腹側部Ａ、背側部Ｂ及び股下部Ｃは、おむつ１０の長手方向Ｘの全長を３等分してそれら３つの部分に区分する。
おむつ１は、腹側部Ａ及び背側部Ｂそれぞれにおける外装体５の長手方向Ｘに沿う両側縁部どうしが、サイドシール部７において、接着剤、ヒートシール、超音波シール等の公知の接合手段によって互いに接合されており、この接合により、前述のウエスト開口部１Ｗ、及び一対のレッグ開口部１Ｌ，１Ｌが形成されている。
【００１３】
図２に、展開且つ伸長状態のおむつ１を示す。おむつ１の「展開且つ伸長状態」とは、各部の弾性部材を伸長させて設計寸法（弾性部材の影響を一切排除した状態で平面状に広げたときの寸法と同じ）となるまで拡げた状態をいう。図２に示すように、パンツ型吸収性物品等のパンツ型の吸収性物品においては、サイドシール部７等の側部に配される部分を切り離した後、設計寸法となるまで広げた状態である。
【００１４】
外装体５は、外層シート５５と、外層シート５５よりも肌対向面側に配された内層シート５６と、これら両シート５５，５６間に伸長状態で配された複数本の弾性部材５３，５４とを有している。外層シート５５は、おむつ１の外面を形成し、外層シート５５と内層シート５６とは隣接している。
外装体５は、図２に示すように、弾性部材５３，５４の伸縮によって幅方向Ｙに伸縮する伸縮領域Ｇを有している。より具体的には、伸縮領域Ｇとして、吸収性本体４よりも長手方向Ｘの外方に形成されたウエスト伸縮領域Ｇ１と、該ウエスト伸縮領域Ｇ１よりも股下部Ｃ側に形成された下部伸縮領域Ｇ２とを有している。ウエスト伸縮領域Ｇ１は、腹側部Ａ側に位置する腹側ウエスト伸縮領域ＦＧ１及び背側部Ｂ側に位置する背側ウエスト伸縮領域ＢＧ１を有しており、下部伸縮領域Ｇ２は、腹側部Ａ側に位置する腹側下部伸縮領域ＦＧ２及び背側部Ｂ側に位置する背側下部伸縮領域ＢＧ２を有している。図２において、符号５３はウエスト伸縮領域Ｇ１に配された弾性部材５３であり、符号５４は胴回り下部伸縮領域Ｇ２に配された弾性部材５４である。
【００１５】
ウエスト伸縮領域Ｇ１は、吸収性本体４の長手方向Ｘの両端４ａ，４ｂそれぞれの外方に形成されている。ウエスト伸縮領域Ｇ１は、着用状態下に着用者のウエスト部に配される。
下部伸縮領域Ｇ２は、腹側部Ａ及び背側部Ｂのそれぞれの長手方向Ｘにおいて、吸収性本体４の長手方向Ｘの端４ａ，４ｂの位置とサイドシール部７の下端の位置との間に形成されている。下部伸縮領域Ｇ２では、弾性部材５４が、少なくとも、サイドシール部７と吸収性本体４の幅方向Ｙの側縁との間に亘って配されている。また下部伸縮領域Ｇ２では、吸収性本体４の幅方向Ｙの両側縁の間に、弾性部材５４が配されていないか、或いは、弾性部材５４が、弾性伸縮性を発現しないように細かく分断される等の処理を施された状態で配されている。
【００１６】
表面シート２、防漏シート３及び吸収体４０は、おむつ１の長手方向Ｘにおいて、股下部Ｃから腹側部Ａ及び背側部Ｂそれぞれの一部にまで亘って延在している。
本実施形態のおむつ１における吸収体４０は、図６に示すように、液保持性の吸収性コア４１と該吸収性コア４１の肌対向面及び非肌対向面を被覆するコアラップシート４２とを含んで構成されている。吸収性コア４１は、吸水性ポリマーと親水性繊維とを含んで構成されている。コアラップシート４２は、図６に示すように、一枚で、吸収性コア４１の全周を被覆していても良いし、２枚以上で、吸収性コア４１の全周を被覆していても良い。
【００１７】
吸収体４０は、図２に示すように、おむつ１の幅方向Ｙの中央部に位置し、おむつ１の長手方向に延在する高坪量部４３と、該幅方向Ｙにおける高坪量部４３の両側に位置する側方低坪量部４４と、背側部Ｂにおける高坪量部４３の長手方向の端縁４３ａより外方に位置する背側低坪量部４５とを有している。高坪量部４３は、該高坪量部４３に配された吸収性コア４１の坪量が、側方低坪量部４４及び背側低坪量部４５に配されている吸収性コア４１の坪量よりも高いことによって、側方低坪量部４４及び背側低坪量部４５よりも高坪量となっている。側方低坪量部４４と背側低坪量部４５の坪量は、同じでも異なっていても良いが、同程度であること、例えば坪量差が、坪量が高い方の坪量の２０％以内であることが好ましい。
高坪量部４３は、吸収性本体４の長手方向Ｘに延在している。すなわち、高坪量部４３は、長手方向Ｘに沿う全長が、背側部Ｂにおける幅方向Ｙの最大長さよりも長い。高坪量部４３は、おむつ１の長手方向Ｘにおいて、少なくとも背側部Ｂに存在している。高坪量部４３は、おむつ１の長手方向Ｘにおいて、股下部Ｃから背側部Ｂの一部に亘って存在していることがより好ましく、図２に示すように、股下部Ｃから腹側部Ａ及び背側部Ｂそれぞれの一部又は全域に亘って存在していることが好ましい。図２に示す高坪量部４３においては、高坪量部４３の腹側部Ａ側の端縁４３ａは、腹側部Ａに位置しており、高坪量部４３の背側部Ｂ側の端縁４３ｂは、背側部Ｂに位置している。また、背側部Ｂ側の幅よりも腹側部Ａ側の幅の方が広い平面視略Ｔ字形状を有している。本考案における高坪量部４３は、長手方向Ｘの全長に亘って幅方向の長さが均一であっても良い。また、高坪量部４３の腹側部Ａ側の端縁４３ａが股下部Ｃに位置していてもよい。
【００１８】
高坪量部４３は、種々の方法によって形成することができる。例えば、吸収性コア４１の構成材料の積繊量を周囲よりも増量することによって、高坪量部４３を形成してもよいし、吸収性コア４１を複数積層することによって、高坪量部４３を形成してもよい。おむつ１においては、吸収性コア４１を２つ積層して高坪量部４３を形成している。
【００１９】
側方低坪量部４４，４４は、幅方向Ｙにおける高坪量部４３の両側に位置している。側方低坪量部４４は、高坪量部４３よりも低坪量となっている。側方低坪量部４４は、吸収性本体４の長手方向Ｘに沿って延びている。側方低坪量部４４の背側部Ｂ側の端縁は、長手方向Ｘにおける位置が、高坪量部４３の背側部Ｂ側の端縁４３ｂと一致している。側方低坪量部４４の腹側部Ａ側の端縁は、高坪量部４３の腹側部Ａ側の端縁４３ａよりも腹側部Ａ側に位置していてもよいし、背側部Ｂ側に位置していてもよい。おむつ１においては、側方低坪量部４４の腹側部Ａ側の端縁は、高坪量部４３の腹側部Ａ側の端縁４３ａよりも腹側部Ａ側に位置している。
【００２０】
背側低坪量部４５は、長手方向Ｘにおける高坪量部４３の背側部Ｂ側の端縁４３ｂよりも外方に位置している。背側低坪量部４５は、高坪量部４３よりも低坪量となっている。背側低坪量部４５は、Ｙ方向において高坪量部４３と重なる位置に配されている。背側低坪量部４５は、Ｙ方向の長さが、好ましくは背側部Ｂにおける高坪量部４３の幅と略同じ長さであり、より好ましくは高坪量部４３の前記の幅よりも長い。
【００２１】
おむつ１の背側部Ｂにおける非肌対向面には、図１及び図３に示すように、廃棄用テープ１０が設けられている。廃棄用テープ１０は、おむつ１の廃棄形態を維持するために用いられるものである。廃棄用テープ１０は、おむつ１の背側部Ｂにおける幅方向Ｙの略中央部に位置している。また廃棄用テープ１０は、その長手方向がおむつ１の長手方向Ｘに一致するように設けられている。
【００２２】
図４には、三つ折り状態になっている廃棄用テープ１０の断面構造が示されている。廃棄用テープ１０は、主として３つの部位から構成されている。具体的には、廃棄用テープ１０は、固定部１２と、伸長部１５と、止着部１８とから構成されている。これら３つの部位は、この順で廃棄用テープ１０の長手方向Ｘ１に沿って配置されている。またこれら３つの部位は、この順で積層された三つ折り状態になっている。固定部１２と伸長部１５との間には他の部材は介在しておらず、両者は直接に連設されている。同様に、伸長部１５と止着部１８との間にも他の部材は介在しておらず、両者は直接に連設されている。尚、図５においては、説明の便宜上、固定部１２と伸長部１５との間及び伸長部１５と止着部１８との間に隙間があるように図示している。
【００２３】
廃棄用テープ１０における固定部１２は、固定部用シート片１３を有している。固定部用シート片１３は、第１面１３ａ及び第２面１３ｂを有している。三つ折り状態になっている廃棄用テープ１０において固定部用シート片１３は、後述する折り返し部１３’を除いて、第１面１３ａが伸長部１５と対向し、第２面１３ｂがおむつ１の外面と対向している。また固定部１２は固定部用粘着部１４を有している。固定部用粘着部１４は、固定部用シート片１３の第２面１３ｂに設けられている。固定部１２は、固定部用粘着部１４によって、おむつ１における背側部Ｂの外面に固定されている。この固定部用粘着部１４を介して、廃棄用テープ１０は、おむつ１における背側部Ｂの外面に着脱不能に固定されている。廃棄用テープ１０をおむつ１の外面に固定する方法としては、ホットメルト型接着剤等の接着剤、融着等の公知の方法を用いることができる。
【００２４】
廃棄用テープ１０における伸長部１５は、該廃棄用テープ１０に引張力が加わったときに比較的弱い引張力で容易に伸長し、廃棄用テープ１０の長さを増加させる部位である。伸長部１５は伸長部用シート片１６を有している。伸長部用シート片１６は、先に述べた固定部用シート片１３と同じ長さであってもよく、異なる長さであってもよい。また、伸長部用シート片１６は、固定部用シート片１３と同じ幅であってもよく、異なる幅であってもよい。伸長部用シート片１６は、第１面１６ａ及び第２面１６ｂを有している。三つ折り状態になっている廃棄用テープ１０において伸長部用シート片１６は、後述する折り返し部１６’を除いて、第１面１６ａが止着部１８と対向し、第２面１６ｂが固定部１２と対向している。また伸長部１５は伸長部用粘着部１７を有している。伸長部用粘着部１７は、伸長部用シート片１６の第２面１６ｂに設けられている。伸長部用粘着部１７は、三つ折り状態になっている廃棄用テープ１０における伸長部１５と固定部１２との間を剥離可能に接合するものである。したがって伸長部用粘着部１７は、低粘着性の粘着剤から構成されていることが好ましい。
【００２５】
先に述べた固定部１２における固定部用シート片１３は、廃棄用テープ１０の長手方向Ｘ１における一端が伸長部１５側に折り返された折り返し部１３’を有している。そして折り返し部１３’が、伸長部１５における伸長部用シート片１６の一端と第２面１６ｂの側で接合されている。これによって、固定部１２と伸長部１５とは直接に連設されている。固定部１２と伸長部１５とを連設する方法としては、ホットメルト型接着剤等の接着剤、融着等の公知の方法を用いることができる。
【００２６】
廃棄用テープ１０における止着部１８は、おむつ１の外面における任意の位置に止着可能になっており、おむつ１の廃棄形態を廃棄用テープ１０で維持するときに、おむつ１の外面に止着される部位である。止着部１８は廃棄用テープ１０の先端域を形成しており、止着部用シート片１９を有している。止着部用シート片１９は、固定部用シート片１３又は伸長部用シート片１６と同じ長さであってもよく、異なる長さであってもよい。また、止着部用シート片１９は、固定部用シート片１３又は伸長部用シート片１６と同じ幅であってもよく、異なる幅であってもよい。止着部用シート片１９は、第１面１９ａ及び第２面１９ｂを有している。三つ折り状態になっている廃棄用テープ１０において止着部用シート片１９は、第２面１９ｂが伸長部１５と対向している。また止着部１８は止着部用粘着部２０を有している。止着部用粘着部２０は、止着部用シート片１９の第２面１９ｂに設けられている。止着部用粘着部２０は、三つ折り状態になっている廃棄用テープ１０における止着部１８と伸長部１５との間を剥離可能に接合し、且つ止着部１８をおむつ１の外面における適切な部位に止着するものである。この観点から止着部用粘着部２０の粘着性の程度が決定されることが好ましい。
【００２７】
先に述べた伸長部１５における伸長部用シート片１６は、その長手方向Ｘ１における一端が止着部１８側に折り返されて折り返し部１６’が形成されている。そして折り返し部１６’が、止着部１８における止着部用シート片１９の一端と第２面１９ｂの側で接合されている。これによって、伸長部１５と止着部１８とは直接に連設されている。伸長部１５と止着部１８とを連設する方法としては、ホットメルト型接着剤等の接着剤、融着等の公知の方法を用いることができる。
また、止着部１８における止着部用シート片１９の他端には、第２面１９ｂ側に摘まみ片２１が接合されている。摘まみ片２１は、止着部用シート片１９とは別体のシート片である。
【００２８】
以上のとおり３つの部位から構成される廃棄用テープ１０は、Ｚ字状に三つ折りされている。そして、三つ折り状態になっている廃棄用テープ１０における自由端、すなわち止着部１８における摘まみ片２１の取り付け部位が、おむつ１におけるウエスト開口部１Ｗ側を向くように、廃棄用テープ１０はおむつ１の背側部Ｂに取り付けられている。
【００２９】
伸長部１５は、三つ折り状態を解除した展開状態において廃棄用テープ１０の長手方向Ｘ１に伸長可能である。より具体的には、伸長部用シート片１６における、固定部用シート片１３又は止着部用シート片１９に接合された両端部以外の部分が、長手方向Ｘ１に伸長可能である。ここで、三つ折り状態を解除した展開状態とは、廃棄用テープ１０の伸長部１５と固定部１２との間を剥離し、且つ伸長部１５と止着部１８との間を剥離して、三つ折り状態の廃棄用テープ１０を直線状に展開した状態を意味する。前記展開状態において、廃棄用テープ１０は、人の力によって引き伸ばすことができ、その際、伸長部１５を伸長させることができる。
【００３０】
また、伸長部１５は、三つ折り状態を解除した展開状態において廃棄用テープ１０の長手方向Ｘ１に沿って伸縮可能であることも好ましい。「伸縮可能」とは、廃棄用テープ１０に引張力が加わったときには伸長し、引張力を解除したときには収縮することを意味する。こうすることで、おむつ１の廃棄時に廃棄用テープ１０を引張りおむつ１の非肌対向面に止着させた後に、丸めた状態にあるおむつ１が開かないように締め付けることが出来る。
【００３１】
三つ折り状態になっている廃棄用テープ１０は、背側部Ｂにおける高坪量部４３の幅内Ｐに、おむつ１の長手方向Ｘに沿って配されている。高坪量部４３の幅内Ｐとは、高坪量部４３の長手方向Ｘに沿う両側縁４３ｅ，４３ｅどうしの間の領域Ｐ１のみならず、該側縁４３ｅ，４３ｅを背側部Ｂ側に延長した延長線４３ｐ，４３ｐどうしの間の領域Ｐ２を含む（図２参照）。三つ折り状態になっている廃棄用テープ１０は、その幅方向Ｙに沿う長さの半分以上が高坪量部４３の幅内Ｐに位置していることが好ましく、その全体が、高坪量部４３の幅内Ｐに位置していることが好ましい。また、廃棄用テープ１０は、幅方向Ｙにおける中央位置が、長手方向中央線ＣＬ上に位置している。廃棄用テープ１０及び高坪量部４３は、幅方向Ｙにおける中央位置が一致していることが好ましい。
【００３２】
三つ折り状態になっている廃棄用テープ１０は、その少なくとも一部が背側低坪量部４５に位置していればよく、図１に示すように、その全体が背側低坪量部４５に位置していることが好ましい。三つ折り状態になっている廃棄用テープ１０の少なくとも一部が背側低坪量部４５に位置している態様としては、固定部１２の一部が背側低坪量部４５に位置している態様、固定部１２の全体が高坪量部４３に位置する一方、止着部１８における背側部Ｂ側の端部が、固定部１２の折り返し部１３’から延出し、背側低坪量部４５に位置している態様等が挙げられる。
【００３３】
図６（ａ）には、使用後のおむつ１を廃棄するときの、おむつ１の廃棄形態が示されている。おむつ１を廃棄するときには、おむつ１を股下部Ｃからウエスト開口部１Ｗに向けて巻き上げていき、図６（ｂ）に示すような巻き上げ形態を作る。巻き上げ形態のおむつ１においては、背側部Ｂに設けられている廃棄用テープ１０が、巻き上げたおむつ１の外側に露出している。
次いで、図６（ｂ）に示すように、巻き上げ形態のおむつ１を一方の手で把持した状態で、他方の手で、摘まみ片２１を把持して引っ張り、廃棄用テープ１０の三つ折り状態を解除し、伸長部を引き延ばしながら、廃棄用テープ１０を、巻き上げられて巻き上げ形態となったおむつ１の外周に巻き付け、止着部１８を、巻き上げ形態のおむつ１の外周面の適切な位置に止着させる。尚、図６（ａ）には、止着部１８を固定部１２上に止着した例を示したが、止着部１８を止着させる位置は、廃棄用テープ１０の構成部材上に限られない。
【００３４】
本実施形態のおむつ１においては、廃棄用テープ１０は、背側部Ｂにおける高坪量部４３の幅内におむつ１の長手方向Ｘに沿って配されており、且つその少なくとも一部が背側低坪量部４５に位置しているため、使用後のおむつ１を、丸めた状態が保持された廃棄形態にするべく、図７（ｂ）に示すように、おむつ１を丸めて把持する際に、内部に高坪量部を有する部分を、親指で押さえて片方の手でしっかりと把持することができる。また三つ折り状態の廃棄用テープ１０を引き延ばす際に、三つ折り状態の廃棄用テープ１０が、高坪量部４３の幅内Ｐにおむつ１の長手方向に沿って配されていることによって、伸長部１５を伸長させながら廃棄用テープ１０を引き延ばしても、引き伸ばした廃棄用テープ１０の位置が、おむつ１の幅方向の両側にぶれにくく、廃棄用テープ１０を、背側部Ｂの幅方向中央部に近い位置でウエスト開口部１Ｗと重なるように巻き付けることができる。また、丸めたおむつ１の外周部に止着させる際に、内部に高坪量部４３が存在する部分が、内部に側方低坪量部４４が存在する部分に比して、変形しにくい状態で存在することによって、作業者が、引き伸ばした廃棄用テープ１０を、丸めたおむつ１における、内部に高坪量部４３が存在する部分上に配することも容易となる。
このようにして、本実施形態のおむつ１によれば、吸収性物品を廃棄形態にする際に、廃棄用テープを丸めた吸収性物品の適切な位置に止着させやすく、これにより、おむつ１の巻き上げられた形態が安定に維持され、型崩れや排泄物の漏れが生じにくい安定した廃棄形態が得られる。
尚、本実施形態のおむつ１においては、廃棄用テープ１０を、おむつ１の長手方向Ｘに沿って伸長させて、おむつ１を廃棄形態にする際に、廃棄用テープ１０がよれることも防止でき、廃棄用テープ１０を所望の位置に張り付けることが一層容易となっている。
【００３５】
上述のように、廃棄形態にしたおむつ１において、廃棄用テープ１０の止着部１８は、おむつ１の非肌対向面に止着される。止着部１８をおむつ１の非肌対向面に止着させ易くするためには、おむつ１の非肌対向面は平坦であることが好ましい。例えば吸収体４０が排泄物を吸収したことにより吸収性コア４１が有する吸水性ポリマーが膨潤したときに、膨潤した吸水性ポリマーによっておむつ１の非肌対向面に凹凸が生じてしまうことを防ぎ、おむつ１の非肌対向面を平坦に保つ観点から、高坪量部４３における吸収性コア４１の非肌対向面側は、高坪量部４３における吸収性コア４１の肌対向面側に比して、吸水性ポリマー及び親水性繊維の合計質量に対する親水性繊維の質量の割合が高いことが好ましい。
吸収性コア４１における非肌対向面側とは、高坪量部４３における吸収性コア４１をその厚み方向Ｚに二等分する仮想線Ｓを想定したときに、該仮想線Ｓよりも非肌対向面側に位置する部分４１ａであり、吸収体４０の肌対向面側とは、該仮想線Ｓよりも肌対向面側に位置する部分４１ｂである（図６参照）。仮想線Ｓは、高坪量部における吸収性コア４１の厚みを二等分するように想定する。
【００３６】
吸収性コア４１における非肌対向面側の、吸水性ポリマー及び親水性繊維の合計質量に対する親水性繊維の質量の割合は、好ましくは５０質量％以上、より好ましくは６０質量％以上であり、また好ましくは１００質量％以下、より好ましくは９９質量％以下であり、また好ましくは５０質量％以上１００質量％以下であり、より好ましくは６０質量％以上９９質量％以下である。
吸収性コア４１における肌対向面側の、吸水性ポリマー及び親水性繊維の合計質量に対する親水性繊維の質量の割合は、好ましくは１０質量％以上であり、より好ましくは１５質量％以上であり、また好ましくは７０質量％以下であり、より好ましくは６０質量％以下であり、また好ましくは１０質量％以上７０質量％以下であり、より好ましくは１５質量％以上６０質量％以下である。
【００３７】
吸水性ポリマー及び親水性繊維の合計質量に対する親水性繊維の質量の割合は以下のようにして測定することができる。
まず、吸収性コア４１の肌対向面側及び非肌対向面側のそれぞれについて、１０個の測定サンプルを切り出す。そして、肌対向面側及び非肌対向面側のそれぞれについて、１０個の測定サンプルのそれぞれにおける吸水性ポリマー及び親水性繊維の質量を測定し、各測定サンプルにおける吸水性ポリマー及び親水性繊維の合計質量に対する親水性繊維の質量の割合を算出する。そして、算出された吸水性ポリマー及び親水性繊維の合計質量に対する親水性繊維の質量の割合の平均値を、吸収性コア４１における肌対向面側又は非肌対向面側の吸水性ポリマー及び親水性繊維の合計質量に対する親水性繊維の質量の割合とする。接着剤でついている場合は溶剤で溶かして測定する。
【００３８】
本実施形態のおむつ１の吸収体４０においては、コアラップシート４２は、一枚のシート４２からなり、該シート４２の幅方向Ｙの両端部どうしが、吸収性コア４１の非肌対向面側において重なった重なり部４２ａを有している。コアラップシート４２の重なり部４２ａは、吸収体４０の長手方向Ｘに沿って延びており、おむつ１の平面視において高坪量部４３と重なる位置に配されている。尚、おむつ１の平面視とは、展開且つ伸長状態のおむつ１の平面視を意味する。
コアラップシート４２の重なり部４２ａが高坪量部４３と重なっていることにより、例えば吸収体４０が排泄物を吸収したことにより、吸収性コア４１が有する吸水性ポリマーが膨潤したときに、膨潤した吸水性ポリマーによっておむつ１の非肌対向面に凹凸が生じることが抑制され、おむつ１の非肌対向面が平坦に保たれやすくなる。これにより、引き伸ばした廃棄用テープ１０を適切な部位に一層安定した状態に止着させることができる。重なり部４２ａは、少なくともその一部が高坪量部４３と重なっていればよい。
重なり部４２ａの背側部Ｂにおける幅方向Ｙの最大長さが、背側部Ｂにおける高坪量部４３の幅方向Ｙの最大長さの、好ましくは２０％以上、より好ましくは３０％以上であり、好ましくは９０％以下、より好ましくは８０％以下であり、また好ましくは２０％以上９０％以下、より好ましくは３０％以上８０％以下である。
【００３９】
また、本実施形態のおむつ１においては、廃棄用テープ１０の一部は、おむつ１の平面視においてコアラップシート４２の重なり部４２ａと重なっている。重なり部４２ａにおいては、おむつ１の非肌対向面に凹凸が生じ難くなっており、おむつ１の非肌対向面が平坦に保たれ易くなっているため、廃棄用テープ１０の一部と重なり部４２ａとが重なっていることにより、おむつ１の非肌対向面における、廃棄用テープ１０の一部が配されている部分が平坦となり易くなる。これにより、引き伸ばした廃棄用テープ１０を適切な部位に一層安定した状態に止着させることができる。
【００４０】
本実施形態のおむつ１においては、廃棄用テープ１０は、該廃棄用テープ１０の少なくとも一部がコアラップシート４２の重なり部４２ａとおむつ１の平面視において重なっていればよく、廃棄用テープ１０の全体がコアラップシート４２の重なり部４２ａとおむつ１の平面視において重なっていることが好ましい。
【００４１】
また、廃棄用テープ１０は、おむつ１の幅方向Ｙの長さＤ（図３参照）が、コアラップシート４２の重なり部４２ａにおけるおむつ１の幅方向Ｙの長さＴ（図３参照）と同じであってもよいし、異なっていてもよい。廃棄用テープ１０におけるおむつ１の幅方向Ｙの長さＤと、コアラップシート４２の重なり部４２ａの前記幅方向Ｙの長さＴとが異なっている場合、廃棄用テープ１０は、おむつ１の幅方向Ｙの長さＤが、該重なり部４２ａの前記幅方向Ｙの長さＴよりも短くてもよいし、該重なり部４２ａの前記幅方向Ｙの長さＴよりも長くてもよいが、廃棄用テープ１０の全体と重なり部４２ａとを重ならせることができるようにする観点から、該重なり部４２ａの前記幅方向Ｙの最大長さＴよりも短いことが好ましい。廃棄用テープ１０の全体と重なり部４２ａとが重なっていると、おむつ１の非肌対向面における、廃棄用テープ１０の全体が配されている部分が平坦となり易く、引き伸ばした廃棄用テープ１０を適切な部位により一層安定した状態に止着させることができる。
【００４２】
重なり部４２ａの前記幅方向Ｙの長さＴに対する廃棄用テープの前記幅方向Ｙの最大長さＤの比Ｄ／Ｔは、廃棄用テープ１０の全体と重なり部４２ａとを重ならせることができるようにする観点から、好ましくは０．９以下であり、より好ましくは０．８以下であり、廃棄用テープ１０が切れないための強度の観点から、好ましくは０．２以上であり、より好ましくは０．３以上であり、それらの両立の観点から、好ましくは０．２以上０．９以下であり、より好ましくは０．３以上０．８以下である（図３参照）。
【００４３】
おむつ１を巻き上げたときに、内部に高坪量部４３を有する部位を把持し易くするためには、高坪量部４３を認識し易くすることが好ましい。高坪量部４３を認識し易くする手段としては、例えば、巻き上げ形態のおむつ１において高坪量部４３が非肌対向面側に隆起し易くすることや、巻き上げ形態のおむつ１において高坪量部４３を視認できるようにすることが挙げられる。
【００４４】
巻き上げ形態のおむつ１において高坪量部４３が非肌対向面側に隆起し易くするためには、図４に示すように、おむつ１の平面視において該吸収体４０と重なる部分に長手方向Ｘに収縮する弾性部材４７を、幅方向Ｙにおける高坪量部４３の両側縁４３ｅ，４３ｅよりも外方に配することが好ましい。これにより、弾性部材４７が長手方向Ｘに収縮することにより高坪量部４３の両側に位置する側方低坪量部４４，４４を長手方向Ｘに収縮させることができるようになる。側方低坪量部４４は長手方向Ｘに収縮することにより、肌対向面側に立ち上がるため、高坪量部４３が相対的に非肌対向面側に位置し易くなり、高坪量部４３が非肌対向面側に隆起し易く、該高坪量部４３が浮き出たような形態となり易く、廃棄用テープ１０を一層適切な位置に安定した状態に止着させることができる。
【００４５】
また、おむつ１の平面視において側方低坪量部４４と重なる位置に、幅方向Ｙに収縮する弾性部材５２ａが配されていることも好ましい。本実施形態のおむつ１においては、レッグ開口部１Ｌに沿って弾性部材５２が配されており、該弾性部材５２は幅方向Ｙに沿って延びる部分５２ａを有している。前記の部分５２ａは、おむつ１の平面視において、側方低坪量部４４と重なっている。これにより、弾性部材５２における前記の部分５２ａが幅方向Ｙに収縮したときに、側方低坪量部４４が幅方向Ｙに湾曲し、肌対向面側に立ち上がり易くなり、高坪量部４３が相対的に非肌対向面側に浮き出たような形態となり易く、廃棄用テープ１０を一層適切な位置に安定した状態に止着させることができる。
【００４６】
また、おむつ１の平面視において側方低坪量部４４と重なる位置に、吸収性本体４と外装体５とが接合していない部分を有することも好ましい。例えば、吸収性本体４と外装体５とを接合する接着剤を、側方低坪量部４４と重なる位置の一部に塗布しないことが好ましく、側方低坪量部４４と重なる位置の全域に塗布しないことがより好ましい。側方低坪量部４４と重なる位置に、吸収性本体４と外装体５とが、接合していない部分を有することにより、使用者が、巻き上げ形態のおむつ１における背側部Ｂの非肌対向面を使用者自身に向けて該おむつ１把持したときに、おむつ１における側方低坪量部４４に対応する部分が肌対向面側に移動し易くなる。側方低坪量部４４に対応する部分が肌対向面側に移動し易いことにより、高坪量部４３に対応する部分が非肌対向面側に隆起し、浮き出たような形態となり易くなる。それにより、廃棄用テープ１０を一層適切な位置に安定した状態に止着させることが一層容易となる。
【００４７】
また下部伸縮領域Ｇ２の伸縮応力は、ウエスト伸縮領域Ｇ１の伸縮応力よりも高いことも好ましい。これにより、側方低坪量部４４が肌対向面側に立ち上がり易くすることができるため、高坪量部４３が相対的に非肌対向面側に浮き出たような形態となり易く、廃棄用テープ１０を一層適切な位置に安定した状態に止着させることができる。
【００４８】
下部伸縮領域Ｇ２の伸縮応力は、ウエスト伸縮領域Ｇ１の伸縮応力に比して、好ましくは１０５％以上であり、より好ましくは１１０％以上であり、また好ましくは３００％以下であり、より好ましくは２５０％以下であり、また好ましくは１０５％以上３００％以下であり、より好ましくは１１０％以上２５０％以下である。
下部伸縮領域Ｇ２及びウエスト伸縮領域Ｇ１の伸縮応力は、以下の方法により測定される。伸長率７０％における応力である。
【００４９】
〔伸縮応力の測定方法〕
上述したおむつ１を例に挙げて説明すると、おむつ１のサイドシール部Ｓを引き剥がして、おむつ１を展開状態とし、伸長させた状態の外装体５から、伸縮応力の測定対象部位を、平面視して幅方向Ｙに長い長方形形状の測定サンプルとして切り出す。この切り出しの際には、外装のみならず、吸収性本体等を含むおむつ全体を切断する。まず、腹側のウエスト伸縮領域ＦＧ１を、製品幅方向にわたって切り出し、腹側ウエスト伸縮領域ＦＧ１が長方形状に切り出される。これを腹側ウエスト伸縮領域ＦＧ１の測定サンプルとする。同様に、腹側の下部伸縮領域ＦＧ２を、製品幅方向にわたって切り出し、腹側下部伸縮領域ＦＧ２が長方形状に切り出される。これを腹側下部伸縮領域ＦＧ２の測定サンプルとする。同様にして、背側のウエスト伸縮領域ＢＧ１と、背側の下部伸縮領域ＢＧ２の測定サンプルを得る。切り出した各測定サンプルに関しては、おむつ１の長手方向Ｘの長さと、おむつ１の幅方向Ｙの長さ（製品展開時（１００％））とを測定しておく。次に、測定サンプルを、該測定サンプルの長手方向と引張方向とが一致するように、引張試験機（例えば、オリエンテック社製の「ＲＴＡ−１００」等）のチャック間に固定する。チャック間距離は１００ｍｍとする。そして、チャック間に測定サンプルを固定し、３００ｍｍ／ｍｉｎの速度で、チャック距離を、測定サンプルの伸長度が８０となる長さまで増大させた後、測定サンプルの伸長度が７１となる長さまで減少させたときの引張り荷重（Ｎ）を測定し、これを測定サンプルの応力（Ｎ）とする。前記の伸長度は、測定サンプルの長手方向の全長を１００としたとき、該全長に対する、測定サンプルの長手方向に伸長させた測定サンプルにおける長手方向の長さの比率である。例えば、測定サンプルの長手方向の長さが３５０ｍｍである場合、伸長度８０における測定サンプルの長手方向の長さは２８０ｍｍであり、伸長度７１における測定サンプルの長手方向の長さは２５０ｍｍである。そして、得られた応力（Ｎ）を予め測定したおむつ１の長手方向Ｘの長さで除して得られる値を、当該測定サンプルの伸縮応力（Ｎ／ｍｍ）とする。
【００５０】
下部伸縮領域Ｇ２の伸縮応力をウエスト伸縮領域Ｇ１の伸縮応力よりも高くする方法に特に制限はなく、各種公知の方法を用いることができる。例えば、下部伸縮領域Ｇ２に配されている弾性部材５４の繊度を、ウエスト伸縮領域Ｇ１に配されている弾性部材５３の繊度よりも大きくすればよい。
【００５１】
下部伸縮領域Ｇ２に配されている弾性部材５４の繊度は、ウエスト伸縮領域Ｇ１に配されている弾性部材５３の繊度に対して、好ましくは１５０％以上であり、より好ましくは２００％以上であり、また好ましくは３００％以下であり、より好ましくは２８０％以下であり、また好ましくは１５０％以上３００％以下であり、より好ましくは２００％以上２８０％以下である。
下部伸縮領域Ｇ２に配されている弾性部材５４の繊度は、好ましくは３９０ｄｔｅｘ以上であり、より好ましくは４７０ｄｔｅｘ以上であり、また好ましくは９４０ｄｔｅｘ以下であり、より好ましくは７８０ｄｔｅｘ以下であり、また好ましくは３９０ｄｔｅｘ以上９４０ｄｔｅｘ以下であり、より好ましくは４７０ｄｔｅｘ以上７８０ｄｔｅｘ以下である。
ウエスト伸縮領域Ｇ１に配されている弾性部材５３の繊度は、好ましくは１８０ｄｔｅｘ以上であり、より好ましくは２００ｄｔｅｘ以上であり、また好ましくは６２０ｄｔｅｘ以下であり、より好ましくは４７０ｄｔｅｘ以下であり、また好ましくは１８０ｄｔｅｘ以上６２０ｄｔｅｘ以下であり、より好ましくは２００ｄｔｅｘ以上４７０ｄｔｅｘ以下である。
【００５２】
下部伸縮領域Ｇ２の伸縮応力をウエスト伸縮領域Ｇ１の伸縮応力よりも高くする別の方として、例えば、下部伸縮領域Ｇ２に配されている弾性部材５４の伸長率を、ウエスト伸縮領域Ｇ１に配されている弾性部材５３の伸長倍率よりも大きくすればよい。伸長倍率は、以下の方法で測定される。
【００５３】
〔伸長倍率の測定方法〕
先ず、伸縮領域を伸縮方向に最大に伸長させた状態にして、シート上から弾性部材に油性ペンを用いて、該伸縮方向に一定間隔Ｌ０（例：１００ｍｍ）をあけて２つの印を付ける。この際、油性ペンのインクが、シートから浸みこむため、弾性部材に前記印を付すことができる。次いで、伸縮領域における弾性部材から、前記２つの印間を切り出す。この切り出した弾性部材の長さＬ１を非伸長状態で測定する。次いで、下記式〔Ａ〕により、伸長倍率を求める。
伸長倍率（％）＝（Ｌ０／Ｌ１）×ｌ００・・・〔Ａ〕
伸縮領域に配された全ての弾性部材について伸長倍率を求め、それらの平均値を「平均伸長倍率」とする。
【００５４】
ウエスト伸縮領域Ｇ１の長手方向長さは、腹側と背側で同じでも良く、異なっていても良い。同様に下部伸縮領域Ｇ２の長手方向長さは、腹側と背側で同じでも良く、異なっていても良い。
また、下部伸縮領域Ｇ２の伸縮応力は、腹側と背側で同じでも良く異なっていても良いが、背側下部伸縮領域ＢＧ２の方が腹側下部伸縮領域ＦＧ２よりも伸縮応力が低いことがより好ましい。これにより、廃棄時に廃棄テープがある背側部Ｂが吸収性本体を覆いやすく排泄物を露出させることなく廃棄することが出来る。
【００５５】
背側下部伸縮領域ＢＧ２の伸縮応力を腹側下部伸縮領域ＦＧ２の伸縮応力よりも低くする方法に特に制限はなく、各種公知の方法を用いることができる。例えば、背側下部伸縮領域ＢＧ２に配されている弾性部材５４ｂの繊度を、腹側下部伸縮領域ＦＧ２に配されている弾性部材５４ｆの繊度よりも小さくすればよい。
【００５６】
腹側下部伸縮領域ＦＧ２に配されている弾性部材５４ｆの繊度は、背側下部伸縮領域ＢＧ２に配されている弾性部材５４ｂの繊度に対して、好ましくは１２０％以上であり、より好ましくは１５０％以上であり、また好ましくは２５０％以下であり、より好ましくは２３０％以下であり、また好ましくは１２０％以上２５０％以下であり、より好ましくは１５０％以上  ２３０％以下である。
腹側下部伸縮領域ＦＧ２に配されている弾性部材５４ｆの繊度は、好ましくは４５０ｄｔｅｘ以上であり、より好ましくは４７０ｄｔｅｘ以上であり、また好ましくは９４０ｄｔｅｘ以下であり、より好ましくは７８０ｄｔｅｘ以下であり、また好ましくは４５０ｄｔｅｘ以上９４０ｄｔｅｘ以下であり、より好ましくは４７０ｄｔｅｘ以上７８０ｄｔｅｘ以下である。
背側下部伸縮領域ＢＧ２に配されている弾性部材５４ｂの繊度は、好ましくは３９０ｄｔｅｘ以上であり、より好ましくは４２０ｄｔｅｘ以上であり、また好ましくは８５０ｄｔｅｘ以下であり、より好ましくは７００ｄｔｅｘ以下であり、また好ましくは３９０ｄｔｅｘ以上８５０ｄｔｅｘ以下であり、より好ましくは４２０ｄｔｅｘ以上７００ｄｔｅｘ以下である。
【００５７】
背側下部伸縮領域ＢＧ２の伸縮応力を腹側下部伸縮領域ＦＧ２の伸縮応力よりも低くする別の方として、例えば、背側下部伸縮領域ＢＧ２に配されている弾性部材５４ｂの伸長倍率を、腹側下部伸縮領域ＦＧ２に配されている弾性部材５４ｆの伸長倍率よりも小さくすればよい。
【００５８】
巻き上げ形態のおむつ１において高坪量部４３を視認できるようにするためには、例えば、おむつ１に、該おむつ１の平面視において高坪量部４３と重なる位置に、外部から視認可能な絵柄８を有する第１絵柄部を形成することが好ましい。これにより、使用者は巻き上げ形態おむつ１において絵柄を視認することにより高坪量部４３の位置を認識できるようになるため、おむつ１を巻き上げたときに、高坪量部４３を把持し易く、高坪量部４３を指等で押さえながら、廃棄用テープ１０をその長手方向Ｘ１に伸長させ、高坪量部４３上に止着部１８を止着させることも容易となる。
高坪量部４３を視認し易くする観点から、第１絵柄部に形成する絵柄は、おむつ１の長手方向Ｘの長さａが幅方向Ｙの長さｂよりも長い縦長の絵柄８１であることが好ましい。また、図示しないが、第１絵柄部に形成する絵柄は、縦長の絵柄８１に代えて、主要絵柄とその周囲に配された付随絵柄とからなる絵柄群であって、絵柄群としての、長手方向Ｘの長さが幅方向Ｙの長さよりも長い絵柄群であることも好ましい。付随絵柄は、主要絵柄の周囲を囲む主要絵柄よりも小さい複数の絵柄等の、主要絵柄に付随するものと認識される絵柄である。
【００５９】
また、第１絵柄部に形成された絵柄は、排泄物によって変色するインジケータとして機能する絵柄を含んでいることも好ましい。ここでいう「変色」は、ある色から他の色に変化する態様の他、無色状態から有色状態となるいわゆる「発色」、発色状態から無色状態となるいわゆる「消色」を含む。第１絵柄部に形成された絵柄がインジケータとして機能する絵柄を含んでいることにより、使用者は巻き上げ形態おむつ１においてインジケータとして機能する絵柄を視認することにより高坪量部４３の位置を認識できるようになるため、おむつ１を巻き上げたときに、高坪量部４３を把持し易く、高坪量部４３を指等で押さえながら、廃棄用テープ１０をその長手方向Ｘ１に伸長させ、高坪量部４３上に止着部１８を止着させることがより容易となる。また、インジケータとして機能する絵柄の変色をおむつ１の交換時期の目安とすることができ、インジケータとして機能する絵柄の変色後速やかにおむつ１を新品と交換することで、ムレや濡れに起因する着用者の肌トラブルを回避することも可能となる。
【００６０】
インジケータとして機能する絵柄は、尿、汗等の水分を含む、身体からの排泄物と接触することにより変色する色材を含むものを用いて形成することができ、従来この種の吸収性物品においてインジケータとして使用されているものを適宜用いて形成することができる。このインジケータとして機能する絵柄を構成する色材としては、例えば、ｐＨ指示薬と酸化化合物との混合物等を用いることができる。
【００６１】
おむつ１において、インジケータとして機能する絵柄は、色材等を含むインジケータ組成物を、第１絵柄部に塗布することによって形成することができる。このインジケータ組成物としては、例えば、色材等の、インジケータ機能の発現に必要な材料を、公知のホットメルト接着剤に配合したものを用いることができる。
【００６２】
インジケータとして機能する絵柄は、おむつ１の長手方向Ｘの長さが、三つ折り状態を解除した展開状態且つ非伸長状態における廃棄用テープ１０の長手方向Ｘの展開長さより長いことが好ましい。これとともに、前記絵柄の長手方向Ｘの長さは、三つ折り状態を解除した展開状態且つ伸長状態における廃棄用テープ１０の長手方向Ｘの長さより短いことが好ましい。こうすることで、インジケータとして機能する絵柄が形成されている部分を、廃棄用テープ１０を止着する箇所の目安とすることができるという利点がある。
【００６３】
インジケータとして機能する絵柄におけるおむつ１の長手方向Ｘの長さは、以下（１）又は（２）の長さを意味する。
（１）インジケータとして機能する絵柄が１つの絵柄である場合、該絵柄における、おむつ１の長手方向Ｘの一端から他端までの長さ。
（２）インジケータとして機能する絵柄が複数存在する場合、最も腹側部Ａ側に位置する絵柄の、おむつ１の長手方向Ｘの腹側部Ａ側の端から、最も背側部Ｂ側に位置する絵柄の、おむつ１の長手方向Ｘの背側部Ｂ側の端までの長さ。
【００６４】
三つ折り状態を解除した展開状態且つ非伸長状態における廃棄用テープ１０の長手方向Ｘの展開長さとは、三つ折り状態を解除した展開状態であり且つ伸長させていない廃棄用テープ１０における、固定部１２におけるウエスト開口部１Ｗ側の端から止着部１８における伸長部１５とは反対側の端までの長手方向Ｘの長さを意味する。本実施形態において、固定部１２におけるウエスト開口部１Ｗ側の端とは、固定部用シート片１３におけるおむつ１の非肌対向面と結合しているウエスト開口部１Ｗ側の端を意味する。また、止着部１８における伸長部１５とは反対側の端部に、止着部用シート片１９から延出するように摘まみ片２１が設けられている場合、止着部１８における伸長部１５とは反対側の端は、該摘まみ片２１における伸長部１５とは反対側の端であり、止着部用シート片１９の方が摘まみ片２１から延出するように摘み片２１が設けられている場合、止着部１８における伸長部１５とは反対側の端は、該止着部用シート片１９における伸長部１５とは反対側の端である。
【００６５】
三つ折り状態を解除した展開状態且つ伸長状態における廃棄用テープ１０の長手方向Ｘの展開長さ（以下、伸長状態長さともいう。）は、引張荷重が１Ｎ／ｍｍとなるまで引き伸ばしたときの長さであり、以下の方法により測定される。
〔伸長状態長さの測定方法〕
おむつ１の外面から廃棄用テープ１０を分離し、該廃棄用テープ１０を展開状態にする。廃棄用テープの長手方向を引張方向に一致させ、市販されている引張試験機（例えば株式会社  島津製作所社製、機種「ＡＵＴＯＧＲＡＰＨ  ＡＧ−Ｘ」）に、その廃棄用テープ１０を、チャック間に該廃棄用テープ１０の測定対象部位が位置するようにセットする。測定対象部位は、廃棄用テープ１０の固定部を除く部分であり、より具体的には、固定部１２における伸長部１５に隣接する部位と廃棄用テープ１０の先端部（止着部１８側の端部）とをチャックで挟む。そして、３００ｍｍ／ｍｉｎの速度で、測定対象部位を長手方向Ｘ１に沿って伸長させ、引張荷重が、廃棄用テープ１０の幅１ｍｍあたり１Ｎとなったときの測定対象部位の長さに、廃棄用テープ１０の先端部のチャックに挟んだ部分（例えば５ｍｍ）の長さ分を加えた長さを、前記伸長状態長さとする。「廃棄用テープ１０の幅１ｍｍあたり」という場合の幅は、伸長させる前の止着部１５の幅である。
【００６６】
インジケータとして機能する絵柄は、おむつ１の長手方向Ｘに沿って延びる一本又は複数本の略線状の線状部からなるものであっても良く、その場合、絵柄の幅方向Ｙの長さが、廃棄用テープ１０の伸長部１５を長手方向Ｘに沿って１００％伸長させたときの幅よりも小さいことが好ましい。こうすることで、インジケータとして機能する絵柄が形成されている部分を、廃棄用テープ１０を吸収体の幅方向中央に沿ってまっすぐに伸ばして止着する目安とすることができるという利点がある。「略線状」とは、線状のみならず、ある程度の幅を有する帯状も含む意味である。
【００６７】
廃棄用テープ１０の伸長部１５を長手方向Ｘに沿って１００％伸長させたときの幅（以下、伸長状態幅ともいう）は、以下の測定方法により測定される。
〔伸長状態幅の測定方法〕
おむつ１の外面から廃棄用テープ１０を分離し、該廃棄用テープ１０を展開状態にする。廃棄用テープの長手方向を引張方向に一致させ、市販されている引張試験機（例えば株式会社  島津製作所社製、機種「ＡＵＴＯＧＲＡＰＨ  ＡＧ−Ｘ」）を用いて、廃棄用テープ１０の伸長部１５の一端と他端とをチャックで挟む。伸長部１５が伸長しないようにまっすぐに伸ばした状態（このときのチャック間距離をＬａとする）から、３００ｍｍ／ｍｉｎの速度で伸長部を長手方向Ｘ１に沿って１００％伸長させる。すなわち、伸長前のチャック間距離Ｌａの２倍になるまで伸長部１５を伸長させる。そして、伸長部１５を１００％伸長させたときに、伸長部１５において、最も幅が狭い部位である最小幅部での幅を伸長状態幅とする。
【００６８】
インジケータとして機能する絵柄の幅方向Ｙの長さは、以下（１）又は（２）の長さを意味する。
（１）インジケータとして機能する絵柄が１本の略線状の線状部からなる場合、該線状部の幅方向太さ。
（２）インジケータとして機能する絵柄が複数の略線状の線状部からなる場合、幅方向の一端に位置する線状部における外側の端から幅方向の他端に位置する線状部における外側の端までの距離。
【００６９】
また、高坪量部４３をより視認し易くするためには、高坪量部４３と重なる位置に形成された第１絵柄部に加えて、おむつ１の平面視において側方低坪量部４４及び背側低坪量部４５の何れか一方又は両方と重なる位置に形成され、外部から視認可能な絵柄を有する第２絵柄部を有することも好ましい。第１絵柄部と第２絵柄部とで、絵柄を異ならせることにより、高坪量部４３が形成されている位置をより明確に認識させることができる。第１絵柄部と第２絵柄部とで、絵柄を異ならせる態様としては、第１絵柄部と第２絵柄部とで絵柄の色調を異ならせる態様、第１絵柄部と第２絵柄部とで絵柄の面積率を異ならせる態様、第１絵柄部と第２絵柄部とで絵柄の形状を異ならせる態様等が挙げられる。色調が異なるとは、色相、明度、彩度及び透明性の何れか一つ又は複数が異なることを意味する。図１には、面積率及び形状が異なる絵柄８１，８２を設けた例が示されている。第２絵柄部に形成された絵柄が、インジケータとして機能する絵柄を含んでいてもよい。
【００７０】
第１絵柄部及び第２絵柄部は、該絵柄部が有する絵柄を外部から視認できる位置に形成されていればよく、おむつ１における任意の部材に形成することができる。第１及び第２絵柄部は、例えば、外装体５の外層シート５５の非肌対向面に形成することができる。また第１及び第２絵柄部は、内層シート５６や、吸収性本体４の防漏シート３等に形成することもできる。第１及び第２絵柄部が形成されている部材よりも、非肌対向面側に他の部材が配されている場合、第１及び第２絵柄部の絵柄を外部から視認できるようにする観点から、該他の部材における少なくとも第１及び第２絵柄部に対応する部分は、透明又は半透明であることが好ましい。
また、第１及び第２絵柄部を、おむつ１の非肌対向面を形成する部材に設ける場合、廃棄用テープ１０を止着させ易くする観点から、該部材は、透湿性の樹脂フィルムであることが好ましい。
また、第１及び第２絵柄部に形成された絵柄が、インジケータとして機能する絵柄を含んでいる場合、排泄物とインジケータとして機能する絵柄とを接触させ易くする観点から、第１及び第２絵柄部は、防漏シート３における肌対向面に形成されていることが好ましい。
【００７１】
防漏シート３としては、透湿性の樹脂フィルム、非透湿性の樹脂フィルム、液難透過性の積層不織布等を用いることができる。防漏シートとして透湿性の樹脂フィルムを採用する場合、高坪量部が多量の液を吸収したときに、水蒸気がおむつの外面側に移動し、外面に、廃棄用テープの止着部１８を止着しにくくなる場合があるところ、第１絵柄部と第２絵柄部とで、絵柄の面積占有率を異ならせ、第１絵柄部の面積占有率を、第２絵柄部の面積占有率よりも大きくすることで、斯かる不都合の発生を抑制することができる。
【００７２】
〔面積率の測定方法〕
おむつ１のサイドシール部７を破り、該おむつ１を展開且つ伸長状態にし、防漏シート３にシワがない状態にして台に固定する。ＯＨＰシートを展開した防漏シート３の上に置き、まず防漏シート３の縁に沿って該防漏シート３の外周を書き写す。防漏シート３の輪郭を書き写したＯＨＰシートをサンプルＳＡとする。次に第１絵柄部の面積占有率を測定するために、防漏シート上に別のＯＨＰシートを置き、全ての第１絵柄部の外周を書き写す。第１絵柄部の外周を書き写したＯＨＰシートをサンプルＳ１とする。最後に第２絵柄部の面積占有率を測定するために、防漏シート上に更に別のＯＨＰシートを置き、全ての第２絵柄部の外周を書き写す。第２絵柄部の外周を書き写したＯＨＰシートをサンプルＳ２とする。サンプルＳＡには防漏シート全体が描かれており、サンプルＳ１には防漏シート上の第１絵柄部のみが描かれており、サンプルＳ２には防漏シート上の第２絵柄部のみが描かれている。サンプルＳＡ、サンプルＳ１及びサンプルＳ２をスキャナー等で取り込み、防漏シート全体の面積、第１絵柄部の面積及び第２絵柄部の面積を算出する。そして、以下の式により算出した値をそれぞれ、第１絵柄部の面積率及び第２絵柄部の面積率とする。
第１絵柄部の面積率（％）＝第１絵柄部の面積／防漏シート全体の面積
第２絵柄部の面積率（％）＝第２絵柄部の面積／防漏シート全体の面積
【００７３】
廃棄用テープ１０の伸長部１５及び止着部１８が伸長可能であるためには、伸長部１５及び止着部１８それぞれを構成するシート片１６，１９として、適切な材料を選択すればよい。具体的には、これらシート片１６，１９の構成材料として、例えば伸長可能なフィルムを用いることができる。そのようなフィルムとしては、例えば単一層フィルム、及び共押出しフィルムのような多層フィルムが挙げられる。また、伸長可能なフィルムを構成する材料としては、例えば線状低密度ポリエチレンなどのポリオレフィンが好ましい。また、ポリ塩化ビニル、エチレン−酢酸ビニル共重合体及びポリビニルアルコールからなる群から選択される少なくとも１種の材料も好ましい。更に、少なくとも５０％、より好ましくは少なくとも７０％の永久変形を有する材料を用いることも有利である。
【００７４】
固定部１２を構成するシート片１３としては、上述したシート片の構成材料と同じものを用いても良く、伸長不可能、即ち塑性変形不可能な任意の材料を用いてもよい。例えば、樹脂性シート（プラスチックシート，フィルム等）、不織布、織布など、従来用いられていた公知のものを特に制限なく用いることができる。尚、固定部用シート片１３の構成材料が、伸長可能であったとしても、おむつ１の非肌対向面に固定されている部分においては、その伸長性は発現しない状態となっている。
【００７５】
伸長部１５と固定部１２とを剥離可能に接合する伸長部用粘着部１７や、止着部１８と伸長部１５とを剥離可能に接合する止着部用粘着部２０としては、例えばゴム系粘着剤及びアクリル系粘着剤が一般的に使用され、好ましくはゴム系粘着剤が使用される。ゴム系粘着剤としては、例えばスチレン−ブタジエンブロック共重合体や水添スチレン−ブタジエンブロック共重合体等の合成ゴム、又はこれら合成ゴムと樹脂とのブレンド等が挙げられる。また、ヒートシール、ホットメルト系粘着剤、メルトブロー状又は繊維状の粘着剤若しくは接着剤等からなる粘着剤を用いてもよい。
【００７６】
伸長部用粘着部１７及び止着部用粘着部２０はそれぞれ、伸長部用シート片１６の第２面１６ｂの全面に形成されていてもよい。また、これら粘着部１７，２０はそれぞれ間欠的に形成されていてもよい。この場合、上述した粘着剤を間欠的に塗布することにより、これら粘着部１７，２０を間欠的に形成することができる。
【００７７】
おむつ１の非肌対向面に設けられる廃棄用テープ１０は、伸長部用シート片１６の一方の端部に固定部用シート片１３を、伸長部用シート片１６の他方の端部に止着部用シート片１９を部分的に積層し、接着剤等の公知の方法を用いてその積層部分を接合して一体化することにより製造することができる。前記積層部分においては、前記の実施形態のように、シート片の一部を折り返した折り返し部を形成してもよい。
【００７８】
おむつ１は、図２及び図４に示すように、長手方向Ｘに沿う吸収性本体４の両側部それぞれに、該長手方向Ｘに沿って延びる防漏カフ６，６を備えている。防漏カフ６，６は、吸収性本体４の長手方向Ｘの全長に亘って連続する撥水性のカフ形成用シート６１と、カフ形成用シート６１の幅方向Ｙの内方側に長手方向Ｘに伸長状態で固定された１本又は複数本のカフ弾性部材６２とを含んで構成されている。防漏カフ６，６は、長手方向Ｘに延びるカフ固定部（不図示）を介して表面シートに固定されている。防漏カフ６，６は、カフ弾性部材６２を有することで、肌対向面側に起立する。
外装体５、吸収性本体４に含まれる表面シート２、防漏シート３及び吸収体４０、並びに防漏カフ６，６等の構成部材に用いられる材料としては、当該技術分野においてこれまで用いられてきたものと同様のものを特に制限なく用いることができる。吸収性コアは、例えばパルプを始めとするセルロース系繊維等の親水性繊維の積繊体、該親水性繊維と吸水性ポリマーとの混合積繊体、吸水性ポリマーの堆積体、２枚の吸収性シート間に吸水性ポリマーが担持された積層構造体などから構成することができる。コアラップシートとしては、例えば親水性繊維からなる薄葉紙や、液透過性を有する不織布などを用いることができる。
【００７９】
以上、本考案をその好ましい実施形態に基づき説明したが、本考案は前記実施形態に制限されない。
例えば、本考案の吸収性物品は、図７に示すおむつのように、高坪量部４３の幅方向Ｙの側縁４３ｅに対応する位置に、該おむつ１が高坪量部４３の側縁４３ｅに沿って折れ曲がり易くするための折れ曲がり誘導部４９を有していてもよい（図７参照）。おむつ１が高坪量部４３の幅方向Ｙの側縁４３ｅに対応する位置に折れ曲がり誘導部を有していることにより、巻き上げ形態のおむつ１において高坪量部４３の側縁４３ｅに沿っておむつ１が折れ曲がり易くなるため、おむつ１における高坪量部４３の幅方向Ｙの外方に対応する部分が肌対向面側に折れ曲がり易くなり、高坪量部４３が相対的に非肌対向面側に浮き出たような形態となり易くなる。それにより、廃棄用テープ１０を一層適切な位置に安定した状態に止着させることが一層容易となる。
折れ曲がり誘導部４９としては、おむつ１が高坪量部４３の側縁４３ｅに沿って折れ曲がるための起点となるものを用いることができ、例えば、折れ曲がり誘導部４９として、吸収性コア４１に、スリット、溝又は非積繊部を設けても良い。スリットとは、吸収性コア４１の厚み方向に向けて切り込みを入れた部位のことであり、幅を有していない。溝とは、底部を有する所定幅の細長い凹部のことである。非積繊部とは、溝から底部を除去したものであり、吸収性コア４１を構成する親水性繊維等の積繊体が存在していない部位のことである。
【００８０】
折れ曲がり誘導部４９は、おむつ１の長手方向Ｘの長さが、三つ折り状態を解除した展開状態且つ非伸長状態における廃棄用テープ１０の長手方向Ｘの展開長さより長いことが好ましい。これとともに、折れ曲がり誘導部４９の長手方向Ｘの長さは、三つ折り状態を解除した展開状態且つ伸長状態における該廃棄用テープ１０の長手方向Ｘの展開長さより短いことが好ましい。こうすることで、股下部における高坪量部４３の位置が浮き出て視認しやすく、吸収体の幅方向中央に廃棄用テープ１０を止着する目安とすることができるようになる。尚、「非伸長状態」及び「伸長状態」とは、上述した状態を意味する。
【００８１】
また、本考案の吸収性物品は、図７に示すおむつのように、おむつ１の平面視において側方低坪量部４４と重なる位置に、吸収性本体４と外装体５との間が接合されていない非接合部分９を有することも好ましい。非接合部分９を有することで、おむつの巻き上げ形態において、高坪量部４３の幅方向Ｙの外方に対応する部分が肌対向面側に折れ曲がり易くなり、高坪量部４３が相対的に非肌対向面側に浮き出たような形態となり易くなる。それにより、廃棄用テープ１０を一層適切な位置に安定した状態に止着させることが一層容易となる。同様の観点から、図４又は図７に示すように、吸収性本体４は、高坪量部４３の両側縁それぞれの外方に、長手方向に伸縮する弾性部材４７，４８が配されていることが好ましい。
【００８２】
また、上述した実施形態では、側方低坪量部４４及び背側低坪量部４５には、吸収性コア４１が含まれていが、側方低坪量部４４及び背側低坪量部４５の何れか一方又は両方は、吸収性コア４１を含まないものであってもよい。つまり、コアラップシート４２が吸収性コア４１から延出しており、該延出部分が側方低坪量部４４又は背側低坪量部４５であってもよい。このとき、吸収性コア４１が存在する部分を高坪量部４３とすることができる。側方低坪量部４４又は背側低坪量部４５が吸収性コア４１を含まず、コアラップシート４２のみからなる場合、側方低坪量部４４又は背側低坪量部４５は高坪量部４３に比して湾曲し易いため、巻き上げ形態のおむつ１において、側方低坪量部４４又は背側低坪量部４５が肌対向面側に湾曲し易く、高坪量部４３が相対的に非肌対向面側に浮き出たような形態となり易い。
【００８３】
また図示しないが、高坪量部４３の一部に、スリット、溝又は非積繊部を設けても良い。高坪量部４３がスリット等を有していることにより、スリット等が形成されている部分を、廃棄用テープ１０を止着する箇所の目安とすることができるようになる。スリット、溝又は非積繊部は、高坪量部４３の長手方向Ｘに沿って延びていることが好ましい。
【００８４】
また、前記実施形態では、止着部用シート片１９の他端に摘まみ片２１が接合されていたが、廃棄用テープ１０は、摘まみ片２１を具備しなくてもよい。
また、本考案の吸収性物品は、幼児又は成人用のパンツ型使い捨ておむつの他、パンツ型の生理用ナプキン等であってもよい。
【００８５】
また、本考案の吸収性物品に係る廃棄用テープは、図８に示すような形態であってもよい。図８に示す三つ折り状態の廃棄用テープ１０において、止着部１８は伸長部１５から延出した部分Ｅ１を有している。また、伸長部１５は固定部１２から延出した部分Ｅ２を有している。伸長部１５の延出部分Ｅ２は、その一部がおむつ１の非肌対向面、より具体的には外層シート５５の非肌対向面に接触している。伸長部１５の延出部分Ｅ２の一部は、おむつ１の非肌対向面に固定されていてもよいし、固定されていなくてもよい。また、固定部１２は、止着部１８の延出部分Ｅ１から延出した部分Ｅ３を有している。
【００８６】
本考案は更に以下の付記を開示する。
＜１＞
液透過性の表面シート、防漏シート及び前記表面シートと前記防漏シートとの間に位置する吸収体を備え、着用者の前後方向に対応する長手方向と前記長手方向に直交する幅方向とを有し、着用時に着用者の腹側に配される腹側部、着用者の背側に配される背側部、及び腹側部と背側部との間に位置する股下部を有する吸収性物品であって、
前記吸収体は、前記幅方向の中央部に位置し前記長手方向に延在する高坪量部と、該幅方向における前記高坪量部の両側に位置し前記高坪量部よりも低坪量の側方低坪量部と、前記背側部における前記高坪量部の長手方向の端縁より外方に位置し前記高坪量部よりも低坪量の背側低坪量部とを有しており、
前記吸収性物品の非肌対向面に、廃棄用テープが設けられており、
前記廃棄用テープは、前記吸収性物品の非肌対向面に固定されている固定部と、伸長部と、止着部とが、この順に該廃棄用テープの長手方向に沿って配されているとともに、この順に積層された三つ折り状態になっており、
三つ折り状態になっている前記廃棄用テープは、前記止着部と前記伸長部との間が剥離可能に接合されているとともに、前記伸長部と前記固定部との間も剥離可能に接合されており、前記伸長部は、三つ折り状態を解除した展開状態において前記廃棄用テープの長手方向に伸長可能であり、
三つ折り状態になっている前記廃棄用テープは、前記背側部における前記高坪量部の幅内に前記吸収性物品の前記長手方向に沿って配されており、且つ該廃棄用テープの少なくとも一部が前記背側低坪量部に位置している、吸収性物品。
【００８７】
＜２＞
前記吸収体は、吸水性ポリマー及び親水性繊維を含む吸収性コアと該吸収性コアを被覆するコアラップシートとを有しており、
前記高坪量部における前記吸収性コアの非肌対向面側は、前記高坪量部における前記吸収性コアの肌対向面側に比して、前記吸水性ポリマー及び前記親水性繊維の合計質量に対する前記親水性繊維の質量の割合が高い、前記＜１＞に記載の吸収性物品。
＜３＞
前記高坪量部における前記吸収性コアの前記非肌対向面側の前記吸水性ポリマー及び前記親水性繊維の合計質量に対する前記親水性繊維の質量の割合は、５０質量％以上１００質量％以下であり、好ましくは６０質量％以上９９質量％以下である、前記＜２＞に記載の吸収性物品。
＜４＞
前記高坪量部における前記吸収性コアの前記肌対向面側の前記吸水性ポリマー及び前記親水性繊維の合計質量に対する前記親水性繊維の質量の割合は、１０質量％以上７０質量％以下であり、好ましくは１５質量％以上６０質量％以下である、前記＜２＞又は＜３＞に記載の吸収性物品。
＜５＞
前記吸収体は、吸水性ポリマー及び親水性繊維を含む吸収性コアと該吸収性コアを被覆するコアラップシートとを有しており、
前記コアラップシートは、前記吸収性コアの非肌対向面側に該コアラップシートどうしが重なった重なり部を有しており、
前記吸収性物品の平面視において、前記重なり部の少なくとも一部は前記高坪量部と重なっている、前記＜１＞〜＜４＞の何れか１に記載の吸収性物品。
【００８８】
＜６＞
前記背側部における前記重なり部の前記幅方向の最大長さは、前記背側部における前記高坪量部の前記幅方向の最大長さの２０％以上９０％以下、好ましくは３０％以上８０％以下である、前記＜５＞に記載の吸収性物品。
＜７＞
前記廃棄用テープの一部は、前記吸収性物品の平面視において前記重なり部と重なっている、前記＜５＞又は＜６＞に記載の吸収性物品。
＜８＞
前記廃棄用テープの前記幅方向の長さが、前記重なり部の前記幅方向の最大長さよりも短い、前記＜５＞〜＜７＞の何れか１に記載の吸収性物品。
＜９＞
前記重なり部の前記幅方向の最大長さに対する前記廃棄用テープの前記幅方向の長さの比が、０．２以上０．９以下であり、好ましくは０．３以上０．８以下である、前記＜８＞に記載の吸収性物品。
【００８９】
＜１０＞
前記吸収性物品の平面視において該吸収体と重なる部分に前記長手方向に収縮する弾性部材が配されており、
前記弾性部材は、前記幅方向における前記高坪量部の両側縁よりも外方に位置している、前記＜１＞〜＜９＞の何れか１に記載の吸収性物品。
＜１１＞
前記吸収性物品の平面視において前記高坪量部と重なる位置に、外部から視認可能な絵柄を有する第１絵柄部を有し、前記側方低坪量部と重なる位置に、外部から視認可能な絵柄を有する第２絵柄部を有しており、
第１絵柄部と第２絵柄部とで、前記絵柄の色調が異なる、前記＜１＞〜＜１０＞の何れか１に記載の吸収性物品。
＜１２＞
前記吸収性物品の平面視において前記高坪量部と重なる位置に、外部から視認可能な絵柄を有する第１絵柄部を有し、前記側方低坪量部と重なる位置に、外部から視認可能な絵柄を有する第２絵柄部を有しており、
第１絵柄部と第２絵柄部とで前記絵柄の面積占有率が異なる、前記＜１＞〜＜１１＞の何れか１に記載の吸収性物品。
【００９０】
＜１３＞
前記吸収性物品の平面視において前記高坪量部と重なる位置に、外部から視認可能な絵柄を有しており、前記絵柄は、前記長手方向の長さが前記幅方向の長さよりも長い縦長の絵柄を含んでいるか、又は主要絵柄とその周囲に配された付随絵柄とからなる絵柄群であって、前記長手方向の長さが前記幅方向の長さよりも長い絵柄群を含んでいる、前記＜１＞〜＜１２＞の何れか１に記載の吸収性物品。
＜１４＞
前記吸収性物品の平面視において前記高坪量部と重なる位置に、外部から視認可能な絵柄を有しており、該絵柄は排泄物によって変色するインジケータとして機能する絵柄を含んでおり、インジケータとして機能する前記絵柄は、前記長手方向の長さが、三つ折り状態を解除した展開状態且つ非伸長状態における前記廃棄用テープの前記長手方向に沿う展開長さよりも長いとともに、三つ折り状態を解除した展開状態且つ伸長状態における該廃棄用テープの前記長手方向に沿う展開長さよりも短い、前記＜１＞〜＜１３＞の何れか１に記載の吸収性物品。
＜１５＞
前記インジケータとして機能する前記絵柄は、前記長手方向に沿って延びる一本又は複数本の略線状の線状部からなり、前記絵柄の前記幅方向の長さが、前記廃棄用テープの前記伸長部を前記長手方向に沿って１００％伸長させたときの幅よりも小さい、前記＜１４＞に記載の吸収性物品。
【００９１】
＜１６＞
前記吸収体の平面視において前記側方低坪量部と重なる位置に、前記幅方向に収縮する弾性部材が配されている、前記＜１＞〜＜１５＞の何れか１に記載の吸収性物品。
＜１７＞
前記吸収性物品は、前記防漏シート及び前記吸収体を有する吸収性本体と、該吸収性本体の非肌対向面側に配された外装体とを備えており、
前記吸収性物品の平面視において前記側方低坪量部と重なる位置に、前記吸収性本体と前記外装体との間が接合されていない部分を有する、前記＜１＞〜＜１６＞の何れか１に記載の吸収性物品。
【００９２】
＜１８＞
前記吸収体は、前記高坪量部の幅方向の側縁に対応する位置に、折れ曲がり誘導部が配されている、前記＜１＞〜＜１７＞の何れか１に記載の吸収性物品。
＜１９＞
前記折れ曲がり誘導部は、前記長手方向の長さが、三つ折り状態を解除した展開状態且つ非伸長状態における前記廃棄用テープの長手方向に沿う展開長さよりも長いとともに、三つ折り状態を解除した展開状態且つ伸長状態における該廃棄用テープの長手方向に沿う展開長さよりも短い、前記＜１８＞に記載の吸収性物品。
＜２０＞
前記吸収体は、吸水性ポリマー及び親水性繊維を含む吸収性コアを有しており、
前記折れ曲がり誘導部が、前記吸収性コアに設けられたスリット、溝又は非積繊部である、前記＜１８＞又は＜１９＞に記載の吸収性物品。
【００９３】
＜２１＞
前記吸収性物品は、前記表面シート、前記防漏シート及び前記吸収体を有する吸収性本体と、該吸収性本体の非肌対向面側に配された外装体を備えており、
前記外装体は、外層シートと、該外層シートよりも肌対向面側に配された内層シートと、前記外層シートと前記内層シートとの間に配された複数本の弾性部材とを有しており、
前記吸収性本体よりも前記長手方向の外方に形成されたウエスト伸縮領域と、該ウエスト伸縮領域よりも前記股下部側の領域における、前記吸収性本体と前記長手方向に重なる領域に形成された下部伸縮領域とを有しており、
前記下部伸縮領域の伸縮応力は、前記ウエスト伸縮領域の伸縮応力よりも高い、前記＜１＞〜＜２０＞の何れか１に記載の吸収性物品。
＜２２＞
前記ウエスト伸縮領域の伸縮応力に対する前記下部伸縮領域の伸縮応力の比率が、１０５％以上３００％以下であり、好ましくは１１０％以上２５０％以下である、前記＜２１＞に記載の吸収性物品。
＜２３＞
前記下部伸縮領域の伸縮応力は、背側下部伸縮領域の方が腹側下部伸縮領域よりも低い、前記＜２１＞又は＜２２＞に記載の吸収性物品。
＜２４＞
前記高坪量部の一部に前記長手方向に沿って延びているスリット、溝又は非積繊部が設けられている、前記＜１＞〜＜２３＞の何れか１に記載の吸収性物品。
【符号の説明】
【００９４】
１  パンツ型使い捨ておむつ
１Ｌ  レッグ開口部
１Ｗ  ウエスト開口部
２  表面シート
３  防漏シート
４  吸収性本体
５  外装体
４０  吸収体
４１  吸収性コア
４２  コアラップシート
４３  高坪量部
４４  側方低坪量部
４５  背側低坪量部
１０  廃棄用テープ
１２  固定部
１３  固定部用シート片
１４  固定部用粘着部
１５  伸長部
１６  伸長部用シート片
１７  伸長部用粘着部
１８  止着部
１９  止着部用シート片
２０  止着部用粘着部
２１  摘まみ片
Ａ  腹側部
Ｂ  背側部
Ｃ  股下部 
【図１】
0003228125.tif 000003
【図２】
0003228125.tif 000004
【図３】
0003228125.tif 000005
【図４】
0003228125.tif 000006
【図５】
0003228125.tif 000007
【図６】
0003228125.tif 000008
【図７】
0003228125.tif 000009
【図８】
0003228125.tif 000010